(57)【要約】【課題】装着したボトルを必要に応じて吊り下げて持ち運ぶことができ、また、収納時にはコンパクトに収納でき、更に、未使用を一見して判断できるとともに、その開封も容易なキャップを提案する。【解決手段】ボトル２の口頸部７外周に嵌合させた装着筒１１より、口頸部内に密嵌させた有底の収納筒１３を二重筒状に延設した本体を備え、また、装着筒１１の外周面部に端部を締着して吊り下げ可能に設けたリング状の紐５を設け、端部締着状態の紐５を収納筒１３内に収納可能に構成した。【選択図】図１
2004026254.tif 000002
【特許請求の範囲】
【請求項１】
ボトル２の口頸部７外周に嵌合させた装着筒１１より、口頸部７内に密嵌させた有底の収納筒１３を二重筒状に延設してなる本体３と、本体３後部に後部を回動可能に連結して本体上面を開閉可能に設けた蓋体４と、上記装着筒外周面部に端部を締着して吊り下げ可能に設けた紐５とを備え、端部締着状態の紐５を上記収納筒１３内に収納可能に構成したことを特徴とするキャップ。
【請求項２】
上記装着筒１１を口頸部７外周に螺着させるとともに、装着筒１１の下端部に破断部２０を介して上端部を一体に連結したリング１９を設け、該リング１９は、内面に突設した係合突条２１を口頸部７外周下部に突設した係止突条９下面に乗越え係合させてなる請求項１記載のキャップ。
【請求項３】
上記本体３と蓋体４との連結が、上記装着筒１１の後部上端より後方へ突設した下部水平板２５の後端部と、蓋体４の後部下端より後方へ突設した上部水平板２６の後端部とを回動可能に連結したものであり、上記紐の締着が、装着筒１１前部より外方へ突設した紐締着用の突片１６への締着であり、上記各水平板と突片とで螺動時のハンドルを構成してなる請求項２記載のキャップ。
【発明の詳細な説明】
【０００１】
【発明の属する技術分野】
本発明はキャップに関する。
【０００２】
【従来の技術】
ペットボトルなどに代表される合成樹脂製ボトルやアルミボトル等の金属製ボトルに装着するキャップとして、ボトル口頸部に螺着させた周壁上端縁より口頸部上端開口を被覆する頂壁を延設してなる有頂筒状のものが極一般に知られている。これらキャップを装着したボトルは当初持ち運びをあまり考慮していなかったが、そのサイズ，用途等の多様化により最近ではキャップに指を掛けるためのフランジを突設したり、ボトルの口頸部や胴部に紐を固定して吊り下げ可能に構成したものも使用されている。
【０００３】
キャップにフランジを突設したものでは、突出幅が小さいと持ち難く、逆に大き過ぎると収納時等に不便である。また、紐を装着したものは例えば、冷蔵庫や鞄の中に収納した際に邪魔となる。
【０００４】
【発明が解決しようとする課題】
本発明は上記した点に鑑みてなされたもので、装着したボトルを必要に応じて吊り下げて持ち運ぶことができ、また、保管時にはコンパクトに収納できるキャップを提案するものである。また、未使用を一見して判断することができる所謂バージンシール機能を有し、その開封も容易なキャップを提案するものである。
【０００５】
【課題を解決するための手段】
本請求項１発明キャップは上記課題を解決するため、ボトル２の口頸部７外周に嵌合させた装着筒１１より、口頸部７内に密嵌させた有底の収納筒１３を二重筒状に延設してなる本体３と、本体３後部に後部を回動可能に連結して本体上面を開閉可能に設けた蓋体４と、上記装着筒外周面部に端部を締着して吊り下げ可能に設けた紐５とを備え、端部締着状態の紐５を上記収納筒１３内に収納可能に構成したことを特徴とする。
【０００６】
また、本請求項２発明のキャップは、上記装着筒１１を口頸部７外周に螺着させるとともに、装着筒１１の下端部に破断部２０を介して上端部を一体に連結したリング１９を設け、該リング１９は、内面に突設した係合突条２１を口頸部７外周下部に突設した係止突条９下面に乗越え係合させてなる請求項１記載のキャップとして構成した。
【０００７】
また、本請求項３発明のキャップは、上記本体３と蓋体４との連結が、上記装着筒１１の後部上端より後方へ突設した下部水平板２５の後端部と、蓋体４の後部下端より後方へ突設した上部水平板２６の後端部とを回動可能に連結したものであり、上記紐の締着が、装着筒１１前部より外方へ突設した紐締着用の突片１６への締着であり、上記各水平板と突片とで螺動時のハンドルを構成してなる請求項２記載のキャップとして構成した。
【０００８】
【発明の実施の形態】
以下、本発明の実施の形態を図面を参照して説明する。
【０００９】
本発明のキャップ１は、ボトル２に装着して使用するもので、本体３と、蓋体４と、紐５とを備えている。
【００１０】
装着するボトル２はポリエチレンテレフタレートボトルに代表される様な合成樹脂ボトルやアルミ製の金属製ボトルが使用され、胴部６より口頸部７を起立して構成したものが使用できる。図示例では、口頸部７の外周上部に螺条８を周設し、その下方に係止突条９を突周設している。
【００１１】
本体３は、ボトル２の口頸部７外周に嵌合させた装着筒上端縁より、口頸部７内に密嵌させた有底の収納筒を二重筒状に延設している。図示例では、口頸部外周の螺条８に、内周面に周設した螺条１０を螺合させて装着筒１１を口頸部７外周に嵌合係止させており、装着筒１１の上端から内方へフランジ１２を延設するとともに、フランジ１２内周縁より有底の収納筒１３垂設している。収納筒１３の上部外周は口頸部７内周上部に液密に嵌合させており、ここからの液の漏出防止を図っている。また、フランジ１２の上面からは蓋体４を嵌合させる嵌合筒１４を立設し、その前部に紐挿通用の窓孔１５を穿設している。
【００１２】
また、本体３の装着筒１１外周面部に紐締着用の突片１６を突設している。この突片１６は装着筒１１外面のどの位置に突設しても良いが、締着する紐５を収納筒１３内に収納することを考慮すれば装着筒１１の出来るだけ上方位置に突設することが好ましく、また、後述するシール用リングを破断するためのハンドルの一部として機能させる際には、本体３及び蓋体４の連結部との対向位置である前部に設けると好ましい。図示例では、装着筒１１の前部上端より前方へ、挿通孔１７を備えた横板１６ａ　の周縁部に突条壁１６ｂ　を立設した突片１６を突設しており、突条壁１６ｂ　の前部中央に凹溝１８を凹設している。
【００１３】
また、本発明のキャップ１は、未使用を表現するためのシール用リング１９を本体と一体に設けても良い。このシール用リング１９は、装着筒１１の下端部に破断部２０を介して上端部を一体に連結したもので、内面に突設した係合突条２１を口頸部７外周下部に突設した上記係止突条９下面に乗越え係合させている。
【００１４】
上記破断部２０としては種々の形態を採用でき、例えばその部分を薄肉に形成したり、ミシン目を施したり、或いは細棒状の連結片により周方向間隔をあけて複数位置で連結する等の方法を採用できる。図示例では、装着筒１１下面とリング１９上面との間に上記細棒状の連結片２２を設けている。また、上記係合突条２１は上向きスカート状に形成して上方からの装着を容易に、また、抜け出しを防止する如く構成している。尚、上記形態のシール用リングを装着筒とは別体に形成して、装着筒の内面等に嵌合させる如く構成し、装着筒の螺脱時にリングのみが口頸部外周に残る如く構成することも可能である。
【００１５】
蓋体４は、本体３後部に後部を回動可能に連結して本体上面を開閉可能に設けて構成している。図示例では、上記嵌合筒１４外周に嵌合させた周壁２３上端縁より頂壁２４を延設するとともに、上記装着筒１１の後部上端より後方へ突設した下部水平板２５の後端部と、蓋体４の後部下端より後方へ突設した上部水平板２６の後端部とをヒンジ２７を介して回動可能に連結しており、各水平板と突片とで螺動時のハンドル機能を付与している。また、周壁２３前部には上記嵌合筒１４前部の窓孔１５と連通して上記収納筒１３内へ紐５を収納する際の紐を挿通する窓孔２８を穿設している。尚、上記した本体３及び蓋体４及びリング１９は合成樹脂により一体に形成することができる。
【００１６】
紐５は上記突片１６に端部を締着して吊り下げ可能に設けたもので、その材質は合成樹脂，革，布等特に限定はないが、ボトルの吊り下げに充分耐えうる強度のものであれば使用できる。また、紐５の具体的形態は吊り下げが可能であれば、どの様な形態であっても良いが、突片１６に締着する際のし易さを考慮すると、環状に形成されたものが好ましく使用できる。
【００１７】
また、突片１６に紐５を締着させる方法としては、種々の方法を採用できるが、図示例の如く、上記した如き挿通孔１７を穿設しておいて、環状の紐５を図２に示す如く、その一端部を挿通孔１７に挿通し、他方の端部を突出した一端部の環状部内に挿通して引き締めることにより簡単に装着することができる。
【００１８】
また、本発明では、紐５の端部締着状態で上記収納筒１３内に収納できる如く構成している。従って、紐５の長さ，太さ等を収納筒１３内へ収納できるものを選択する。収納する際には、蓋体周壁２３の窓孔２８及び嵌合筒１４の窓孔１５を介して収納する。
【００１９】
上記の如く構成したキャップは、図１の状態から後部の各水平板と前部の突片１６とに指を掛けて回動させると装着筒１１は螺動上昇しようとするが、リング１９はその係合突条２１が口頸部７の係止突条９と係合して上昇をせず、従って、破断部２０が切断して螺脱が可能となる。また、開封後の保管時或いは持ち運びのない使用時には、図１に示す如く、紐５を収納筒１３内に収納した状態で行う。この場合にはキャップ１を螺脱すれば容易に内容物を取り出すことができる。一方、運搬時には蓋体４をあけて紐５を取り出した後再び蓋体４を締め、紐５をクビに吊り下げたり、手首に掛けて吊り下げたりして行える。
【００２０】
【発明の効果】
以上説明した如く本発明のキャップは、既述構成としたことにより、外出等の持ち運び時には装着したボトル２を、紐５を首に下げる等して行えるものであり、一方、保管の際には紐５を収納筒１３内に収納した状態で行えるため邪魔にならず、取り扱い上きわめて便利である。
【００２１】
また、請求項２発明のキャップでは、装着したボトルが未開封であることが一目瞭然で、悪戯の防止，商品イメージの向上，等を併せて図れるものである。
【００２２】
また、請求項３発明のキャップでは、リング１９の破断部２０を破断して開封する際に各水平板と突片とがハンドル機能を発揮するため容易に開封することができ、また、開封後の装着筒の螺合が硬くなった場合にも容易に螺脱することができる利点を兼ね備えている。
【図面の簡単な説明】
【図１】本発明の一実施例を示す要部切欠側面図である。
【図２】同実施例の開蓋状態の斜視図である。
【図３】同実施例の平面図である。
【符号の説明】
２…ボトル，３…本体，４…蓋体，５…紐，７…口頸部，９…係止突条，
１１…装着筒，１３…収納筒，１６…突片，１９…リング，２０…破断部，
２１…係合突条，２５…下部水平板，２６…上部水平板
【図１】
2004026254.tif 000003
【図２】
2004026254.tif 000004
【図３】
2004026254.tif 000005